(57)【要約】      （修正有）【課題】メッセージを伝えるべき対象者がメッセージを認識可能な場所に居合わせるタイミングで、伝えたいメッセージを伝達する。【解決手段】予め設定された１または2以上のメッセージ伝達エリア内に設置されたメッセージ発信装置に対し、当該メッセージ発信装置がそれぞれ発信するコンテンツを配信するコンテンツ配信手段と、１または２以上の所定の人物が、いずれかの前記メッセージ伝達エリアに居合わせる予定の時間帯についての在エリア時間帯情報、および当該人物が関心を持っている分野についての関心分野情報を、人物ごとに対応づけて登録する、人物情報記憶手段と、前記在エリア時間帯情報が示す時間帯に、前記関心分野情報に対応する分野のコンテンツを、当該メッセージ伝達エリアに設置された前記メッセージ発信装置が発信するためのコンテンツ配信スケジュールを設定する、スケジュール設定手段と、を有する。【選択図】図１
2011257933.tif 000002
【特許請求の範囲】
【請求項１】
予め設定された１または2以上のメッセージ伝達エリア内に設置されたメッセージ発信装置に対し、当該メッセージ発信装置がそれぞれ発信するコンテンツを配信するコンテンツ配信手段と、
１または２以上の所定の人物が、いずれかの前記メッセージ伝達エリアに居合わせる予定の時間帯についての在エリア時間帯情報、および当該人物が関心を持っている分野についての関心分野情報を、人物ごとに対応づけて登録する、人物情報記憶手段と、
前記在エリア時間帯情報が示す時間帯に、前記関心分野情報に対応する分野のコンテンツを、当該メッセージ伝達エリアに設置された前記メッセージ発信装置が発信するためのコンテンツ配信スケジュールを設定する、スケジュール設定手段と、
を有することを特徴とする、メッセージ配信管理装置。
【請求項２】
前記在エリア時間帯情報は、所定の人物が携帯する位置情報機能付き携帯端末より定期的に収集する位置情報から、当該人物の地理的移動についての習慣的な行動様式を解析し、各前記メッセージ伝達エリアに居合わせる時間帯を予測することにより得ることを特徴とする、請求項１に記載のメッセージ配信管理装置。
【請求項３】
前記関心分野情報は、所定の人物が情報通信端末を使用して商品購入を行う度に、商品購入情報を入手し、購入商品ごとに予め設定された関心分野と商品購入傾向から、当該人物が関心を持っている分野を解析することにより得ることを特徴とする、請求項１または２に記載のメッセージ配信管理装置。
【請求項４】
前記スケジュール設定手段は、前記メッセージ伝達エリアにつき、同一の時間帯を含む前記在エリア時間帯情報に対する前記関心分野情報のうち、最も多いものに対応するコンテンツを、当該時間帯に発信するコンテンツとしてスケジュールを設定することを特徴とする、請求項１乃至３のいずれかに記載のメッセージ配信管理装置。
【請求項５】
前記コンテンツ配信手段が配信するコンテンツを、予め設定された関心分野ごとに入手するコンテンツ入手手段を、さらに有することを特徴とする、請求項１乃至４のいずれかに記載のメッセージ配信管理装置。
【請求項６】
前記コンテンツ配信手段が配信するコンテンツを、予め設定された分野ごとに記憶しておくデータベースを、さらに有することを特徴とする、請求項１乃至５のいずれかに記載のメッセージ配信管理装置。
【請求項７】
前記コンテンツは、画像または音声の少なくとも一方からなることを特徴とする、請求項１乃至６のいずれかに記載のメッセージ配信管理装置。
【請求項８】
前記メッセージ伝達エリアは、前記メッセージ発信装置が発信するメッセージが認識されうる場所として設定されていることを特徴とした、請求項１乃至７のいずれかに記載のメッセージ配信管理装置。
【請求項９】
予め設定された１または2以上のメッセージ伝達エリア内に設置されたメッセージ発信装置、および請求項１乃至８のいずれかに記載のメッセージ配信管理装置を用いた、メッセージ配信管理システム。
【請求項１０】
予め設定された１または2以上のメッセージ伝達エリア内に設置されたメッセージ発信装置に対し、当該メッセージ発信装置がそれぞれ発信するコンテンツを配信する手順と、
１または２以上の所定の人物が、いずれかの前記メッセージ伝達エリアに居合わせる予定の時間帯についての在エリア時間帯情報、および当該人物が関心を持っている分野についての関心分野情報を、人物ごとに対応づけて登録する手順と、
前記在エリア時間帯情報が示す時間帯に、前記関心分野情報に対応する分野のコンテンツを、当該メッセージ伝達エリアに設置された前記メッセージ発信装置が発信するためのコンテンツ配信スケジュールを設定する手順と、
を有することを特徴とする、メッセージ配信管理方法。
【発明の詳細な説明】
【技術分野】
【０００１】
本発明はメッセージ配信装置に関し、特に伝えたい内容のメッセージを、そのメッセージを伝えたい対象者が認識することができるタイミングで配信する、メッセージ配信装置に関する。
【背景技術】
【０００２】
近年、駅周辺や商店街など人通りの多いスポットに大型スクリーンを設置し、様々な映像を表示する形態の街頭広告が広く用いられている。このような形態の街頭広告は、スクリーンに表示する映像を、状況に応じて切り替えることができるため、効果的な宣伝が可能である。例えば特定の時期に特にプッシュしたい商品やその時々の流行商品、あるいは近辺で開催されるイベントと関連した広告映像など、適切なタイミングで広告を配信することにより、高い宣伝効果を得ることができる。
【０００３】
また、このような街頭広告形態においては、表示スクリーンの近辺を行き交う人々の嗜好に対応して、タイミングよく広告表示を適切な内容に切り替えることによって、さらに宣伝効果は向上すると考えられる。
【０００４】
そのように広告表示を切り替えるための技術が、例えば特許文献１に記載されている。この技術は、登録されたユーザの嗜好についての情報と、各ユーザが保持する携帯端末の現在位置情報から、表示スクリーン周辺で検出された携帯端末ユーザの嗜好分布を解析し、その時々で最適な広告内容を逐次配信するものである。これにより、例えばある嗜好を有するユーザが表示スクリーン近辺に多くいる場合には、その嗜好に対応した広告を表示し、別の嗜好を有するユーザが多くなればその嗜好に対応した広告に表示を切り替えることにより、宣伝効果を向上することができる。
【先行技術文献】
【特許文献】
【０００５】
【特許文献１】特開２００３−１２２９９４号公報
【発明の概要】
【発明が解決しようとする課題】
【０００６】
しかしながら上述した特許文献１に記載の技術は、表示スクリーン周辺を行き交う人々の嗜好の、刻々と変化する分布をリアルタイムで解析するものであり、解析に時間がかかると、状況の変化に追いつかなくなることがある。すなわち、広告を見せるべき対象者が表示スクリーン近傍にいる時間は限られており、広告の表示内容を決定する間に、対象者が通り過ぎてしまうと、広告効果が得られなくなるという問題点があった。
【０００７】
本発明の目的は、上記問題点を克服することである。すなわち、メッセージを伝えるべき対象者がメッセージを伝達可能な場所に居合わせるタイミングで、伝えたいメッセージを発信することが可能なメッセージ配信装置、メッセージ配信システム、およびメッセージ配信方法を提供することである。
【課題を解決するための手段】
【０００８】
本発明のメッセージ配信装置は、予め設定された１または2以上のメッセージ伝達エリア内に設置されたメッセージ発信装置に対し、当該メッセージ発信装置がそれぞれ発信するコンテンツを配信するコンテンツ配信手段と、１または２以上の所定の人物が、いずれかの前記メッセージ伝達エリアに居合わせる予定の時間帯についての在エリア時間帯情報、および当該人物が関心を持っている分野についての関心分野情報を、人物ごとに対応づけて登録する、人物情報記憶手段と、前記在エリア時間帯情報が示す時間帯に、前記関心分野情報に対応する分野のコンテンツを、当該メッセージ伝達エリアに設置された前記メッセージ発信装置が発信するためのコンテンツ配信スケジュールを設定する、スケジュール設定手段と、を有することを特徴とする。
【０００９】
また本発明のメッセージ配信方法は、予め設定された１または2以上のメッセージ伝達エリア内に設置されたメッセージ発信装置に対し、当該メッセージ発信装置がそれぞれ発信するコンテンツを配信する手順と、１または２以上の所定の人物が、いずれかの前記メッセージ伝達エリアに居合わせる予定の時間帯についての在エリア時間帯情報、および当該人物が関心を持っている分野についての関心分野情報を、人物ごとに対応づけて登録する手順と、前記在エリア時間帯情報が示す時間帯に、前記関心分野情報に対応する分野のコンテンツを、当該メッセージ伝達エリアに設置された前記メッセージ発信装置が発信するためのコンテンツ配信スケジュールを設定する手順と、を有することを特徴とする。
【発明の効果】
【００１０】
本発明によれば、メッセージを伝えるべき対象者がメッセージを伝達可能な場所に居合わせるタイミングで、伝えたいメッセージを発信することが可能なメッセージ配信装置、メッセージ配信システム、およびメッセージ配信方法を提供できる。
【図面の簡単な説明】
【００１１】
【図１】本発明の第１の実施の形態を示す構成図である。
【図２】本発明の第２の実施の形態を示す構成図である。
【図３】同じ時間帯、場所にいるユーザグループの関心分野の分布例を示す図である。
【発明を実施するための形態】
【００１２】
次に本発明の実施の形態を、図面を参照して説明する。
（第１の実施の形態）
図１は、本発明の第１の実施の形態を示す構成図である。メッセージ配信装置１において、コンテンツ配信手段２は、予め設定されたメッセージ伝達エリア３〜５内に設置されたメッセージ発信装置６〜８に対し、メッセージ発信装置６〜８がそれぞれ発信するコンテンツを配信する。人物情報記憶手段９は、所定の人物が、メッセージ伝達エリア３〜５のいずれかに居合わせる予定の時間帯についての在エリア時間帯情報、および当該人物が関心を持っている分野についての関心分野情報を、人物ごとに対応づけて登録する。
スケジュール設定手段１０は、在エリア時間帯情報および関心分野情報が登録されている人物が、メッセージ伝達エリア３〜５のいずれかに居合わせる予定の時間帯に、当該人物が関心を持っている分野に応じたコンテンツを、当該メッセージ伝達エリアに設置されたメッセージ発信装置が発信するためのコンテンツ配信スケジュールを設定する。
【００１３】
以上のようにメッセージ配信装置を構成することにより、所定の人物がある時間帯にある伝達エリアに居合わせる場合、ちょうどその時間帯に、当該人物の関心分野に一致したメッセージを、そのメッセージ伝達エリアに設置されたメッセージ発信装置から発信することができる。
【００１４】
これに対して、所定の人物があるメッセージ伝達エリアに入ったのを検知してから、伝達すべきコンテンツを検索して、抽出したメッセージ発信装置に配信する方式では、メッセージ発信が間に合わず、当該人物がメッセージを認識する前に通り過ぎる恐れがある。
【００１５】
この実施の形態では、伝達すべきメッセージに係るコンテンツと、そのコンテンツを何時、どのメッセージ発信装置によって発信するかのスケジュールを、人物情報に基づいて予め決定している。したがって上記のような問題が生じることはなく、各メッセージ発信装置は、このスケジュールに従い、発信するメッセージの伝達エリアに対象人物が居合わせるタイミングで、その人物に伝達したいメッセージを発信することができる。
【００１６】
なおここではメッセージ伝達エリアの数は３つの場合で説明したが、メッセージ伝達エリアの数は１、２あるいは４以上でもよい。
（第２の実施の形態）
次に本発明の第２の実施の形態について、図２を参照して説明する。図２において図１と対応する部分は図１と同じ番号を付している。第２の実施の形態では、取り扱うメッセージを、画像情報による商品広告とし、図２におけるメッセージ発信装置６〜８は、いずれも大型スクリーンによる画像表示装置としている。メッセージ伝達エリア３〜５はそれぞれ、メッセージ発信装置６〜８が発信するメッセージが認識可能な位置関係の場所として設定されている。
【００１７】
人物情報記憶手段９には、登録申請した人物の識別情報が登録されている。人物情報記憶手段９に登録した各人物（以下、登録者という）はＧＰＳ（Global Positioning System：全地球測位システム）機能を有する携帯端末１１を携帯し、携帯端末１１はそれぞれ、定期的に自己の位置情報を最寄りの基地局１２に自動送信する。人物情報収集手段１３は、登録者の位置情報を基地局１２を経由して収集する。在エリア時間帯予測手段１４は、各登録者の定期的な地理的移動パターンを解析し、各登録者がいずれかのメッセージ認識エリアに居合わせる時間帯を予測する。例えば、ある登録者が通勤や通学で日常決まった時間に、特定の交通機関や道路などを利用している場合、収集した地理的移動パターンから、当該登録者が、ある特定の時間帯に特定の場所に居合わせることを予測することができる。そして登録者が特定の時間帯に居合わせる場所が、いずれかのメッセージ伝達エリアに含まれる場合、当該登録者の行動パターンとして、例えば「平日の７時５５分から８時１０分までの間に、メッセージ伝達エリア４内にいる」という在エリア時間帯情報を設定できる。この在エリア時間帯情報は、登録者ごとに人物情報記憶手段９に記憶される。
【００１８】
同様に、各登録者が保有する携帯端末を使用して商品購入を行った場合に、その都度、商品購入情報が自動送信され、人物情報収集手段１３は、登録者の商品購入情報を基地局１４を経由して収集する。購入商品にはそれぞれ予め関心分野が設定されており、関心分野解析手段１５は、受信された登録者の商品購入傾向から各登録者の嗜好を解析することにより、当該登録者の関心分野情報を得ることができる。例えば、ある登録者がスピーカケーブル、録画用メディア、その他ホームシアター製品やその関連アクセサリーを頻繁に購入している場合、当該登録者の関心分野情報として「オーディオ・ヴィジュアル分野」という情報を設定することができる。この関心分野情報は、登録者ごとに人物情報記憶手段９に記憶される。
【００１９】
なお、登録者情報収集手段１３が登録者の商品購入情報を入手するのは、各登録者が保有する携帯端末を使用して商品購入を行った場合に限らず、パソコンその他の情報通信端末を使用して商品購入を行った場合でも、その商品購入情報の入手は可能である。その場合は、登録者情報収集手段２が商品購入情報を入手できるよう、使用する端末が商品購入情報を送信する設定としておく。
【００２０】
以上のように収集した情報からスケジュール設定手段１０は、例えば「オーディオ・ヴィジュアル分野の広告コンテンツを、メッセージ発信装置７のスクリーンに平日の７時５５分から８時１０分までの間表示する」というスケジュールを設定する。なおスケジュール設定手段１０は、設定するスケジュールを１日分にするか、１週間分にするか等、スケジュールの期間を設定する機能を有していてもよい。
【００２１】
コンテンツ入手手段１６は、「オーディオ・ヴィジュアル分野」をはじめ、分類された分野ごとに関連する商品の広告コンテンツを入手し、図示しないデータベースに記憶しておく。またコンテンツ入手手段１６は、データベースに記憶されたコンテンツを定期的あるいは状況に応じて更新する機能を有している。これによってメッセージ配信手段２は、上記設定されたスケジュールに従って、所定の時間にメッセージ発信装置６〜８に対し、所定の分野の最新の広告コンテンツを配信することができる。
【００２２】
またあるいはコンテンツ入手手段１６は、上記設定されたスケジュールに従い、所定の時間に、分類された分野ごとに予め登録された外部の広告配信業者に接続し、各メッセージ発信装置に表示するコンテンツをリアルタイムで入手するような設定としてもよい。
【００２３】
以上のように、特定の分野に関心を持つ登録者に対し、メッセージ発信装置がタイミングよく常に最新の広告を表示するようにコンテンツ配信スケジュールを設定することにより、高い宣伝効果が得られる。
【００２４】
また各登録者の関心分野はそれぞれ多様である。図３に、ある時間帯の、同じメッセージ伝達エリアにいる多数の登録者がそれぞれ有している、関心分野の分布の例を示す。例えばある時間帯に、メッセージ伝達エリアごとに関心分野が図３に示すような分布を示す場合、メッセージ伝達エリアａでは関心を持つ登録者数が当該時間帯に最も多い「分野Ａ」に関連する商品の広告を発信するように設定する。同様にメッセージ伝達エリアｂ、ｃではそれぞれ「分野Ｃ」、「分野Ｂ」に関連する商品広告を発信するように設定する。このように登録者の関心分野の分布を参照することにより、宣伝効果がより高いと考えられるコンテンツ配信スケジュールを設定することができる。なおメッセージ配信管理装置１は、登録者の関心分野の分布をサンプリングする頻度を設定する機能を有していてもよい。またメッセージ配信管理装置１は、メッセージ発信装置が表示する広告内容を切り替える頻度を設定する機能を有していてもよい。例えばメッセージ配信管理装置１は、登録者の関心分野の分布のサンプリング頻度と連動して広告内容を切り替える頻度を設定することができる。
【００２５】
以上のように第２の実施の形態では、携帯端末等の情報通信端末を利用することにより、登録者の情報が自動で送信されるので、必要な情報をきめ細かく、簡便に収集でき、広告効果の高いコンテンツ発信を多様に設定できる利点がある。
（付記１）
予め設定された１または2以上のメッセージ伝達エリア内に設置されたメッセージ発信装置に対し、当該メッセージ発信装置がそれぞれ発信するコンテンツを配信するコンテンツ配信手段と、
１または２以上の所定の人物が、いずれかの前記メッセージ伝達エリアに居合わせる予定の時間帯についての在エリア時間帯情報、および当該人物が関心を持っている分野についての関心分野情報を、人物ごとに対応づけて登録する、人物情報記憶手段と、
前記在エリア時間帯情報が示す時間帯に、前記関心分野情報に対応する分野のコンテンツを、当該メッセージ伝達エリアに設置された前記メッセージ発信装置が発信するためのコンテンツ配信スケジュールを設定する、スケジュール設定手段と、
を有することを特徴とする、メッセージ配信管理装置。
（付記２）
前記在エリア時間帯情報は、所定の人物が携帯する位置情報機能付き携帯端末より定期的に収集する位置情報から、当該人物の地理的移動についての習慣的な行動様式を解析し、各前記メッセージ伝達エリアに居合わせる時間帯を予測することにより得ることを特徴とする、付記１に記載のメッセージ配信管理装置。
（付記３）
前記関心分野情報は、所定の人物が情報通信端末を使用して商品購入を行う度に、商品購入情報を入手し、購入商品ごとに予め設定された関心分野と商品購入傾向から、当該人物が関心を持っている分野を解析することにより得ることを特徴とする、付記１または２に記載のメッセージ配信管理装置。
（付記４）
前記スケジュール設定手段は、前記メッセージ伝達エリアにつき、同一の時間帯を含む前記在エリア時間帯情報に対する前記関心分野情報のうち、最も多いものに対応するコンテンツを、当該時間帯に発信するコンテンツとしてスケジュールを設定することを特徴とする、付記１乃至３のいずれかに記載のメッセージ配信管理装置。
（付記５）
前記コンテンツ配信手段が配信するコンテンツを、予め設定された関心分野ごとに入手するコンテンツ入手手段を、さらに有することを特徴とする、付記１乃至４のいずれかに記載のメッセージ配信管理装置。
（付記６）
前記コンテンツ配信手段が配信するコンテンツを、予め設定された分野ごとに記憶しておくデータベースを、さらに有することを特徴とする、付記１乃至５のいずれかに記載のメッセージ配信管理装置。
（付記７）
前記コンテンツは、画像または音声の少なくとも一方からなることを特徴とする、付記１乃至６のいずれかに記載のメッセージ配信管理装置。
（付記８）
前記メッセージ伝達エリアは、前記メッセージ発信装置が発信するメッセージが認識されうる場所として設定されていることを特徴とした、付記１乃至７のいずれかに記載のメッセージ配信管理装置。
（付記９）
予め設定された１または2以上のメッセージ伝達エリア内に設置されたメッセージ発信装置、および付記１乃至８のいずれかに記載のメッセージ配信管理装置を用いた、メッセージ配信管理システム。
（付記１０）
予め設定された１または2以上のメッセージ伝達エリア内に設置されたメッセージ発信装置に対し、当該メッセージ発信装置がそれぞれ発信するコンテンツを配信する手順と、
１または２以上の所定の人物が、いずれかの前記メッセージ伝達エリアに居合わせる予定の時間帯についての在エリア時間帯情報、および当該人物が関心を持っている分野についての関心分野情報を、人物ごとに対応づけて登録する手順と、
前記在エリア時間帯情報が示す時間帯に、前記関心分野情報に対応する分野のコンテンツを、当該メッセージ伝達エリアに設置された前記メッセージ発信装置が発信するためのコンテンツ配信スケジュールを設定する手順と、
を有することを特徴とする、メッセージ配信管理方法。
（付記１１）
前記在エリア時間帯情報は、所定の人物が携帯する位置情報機能付き携帯端末より定期的に収集する位置情報から、当該人物の地理的移動についての習慣的な行動様式を解析し、各前記メッセージ伝達エリアに居合わせる時間帯を予測することにより得ることを特徴とする、付記１０に記載のメッセージ配信管理方法。
（付記１２）
前記関心分野情報は、所定の人物が情報通信端末を使用して商品購入を行う度に、商品購入情報を入手し、購入商品ごとに予め設定された関心分野と商品購入傾向から、当該人物が関心を持っている分野を解析することにより得ることを特徴とする、付記１０または１１に記載のメッセージ配信管理方法。
（付記１３）
前記スケジュール設定手順は、前記メッセージ伝達エリアにつき、同一の時間帯を含む前記在エリア時間帯情報に対する前記関心分野情報のうち、最も多いものに対応するコンテンツを、当該時間帯に発信するコンテンツとしてスケジュールを設定することを特徴とする、付記１０乃至１２のいずれかに記載のメッセージ配信管理方法。
（付記１４）
前記コンテンツ配信手順で配信するコンテンツを、予め設定された関心分野ごとに入手するコンテンツ入手手順を、さらに有することを特徴とする、付記１０乃至１３のいずれかに記載のメッセージ配信管理方法。
（付記１５）
前記コンテンツ配信手順が配信するコンテンツを、予め設定された分野ごとにデータベースに記憶しておく手順を、さらに有することを特徴とする、付記１０乃至１４のいずれかに記載のメッセージ配信管理方法。
（付記１６）
前記コンテンツは、画像または音声の少なくとも一方からなることを特徴とする、付記１０乃至１５のいずれかに記載のメッセージ配信管理方法。
（付記１７）
前記メッセージ伝達エリアは、前記メッセージ発信装置が発信するメッセージが認識されうる場所として設定されていることを特徴とした、付記１０乃至１６のいずれかに記載のメッセージ配信管理方法。
【符号の説明】
【００２６】
１    メッセージ配信管理装置
２    コンテンツ配信手段
３    メッセージ伝達エリア
４    メッセージ伝達エリア
５    メッセージ伝達エリア
６    メッセージ発信装置
７    メッセージ発信装置
８    メッセージ発信装置
９    人物情報記憶手段
１０    スケジュール設定手段
１１    携帯端末
１２    基地局
１３    人物情報収集手段
１４    在エリア時間帯予測手段
１５    関心分野解析手段
１    コンテンツ入手手段
【図１】
2011257933.tif 000003
【図２】
2011257933.tif 000004
【図３】
2011257933.tif 000005